(57)【要約】    【課題】  生体情報から生体特徴データを抽出する特徴データ抽出手段の抽出特性を変更したときの対応作業を容易にする。    【解決手段】  認証が成功したときに、高い照合値とその生体情報の組みを記憶手段５に登録しておき、特徴データ抽出手段３が更新されたときには登録してある生体情報から該特徴データ抽出手段によって生体特徴データを抽出して既登録の生体特徴データを更新する。【選択図】  図１
2005157746.tif 000002
【特許請求の範囲】
【請求項１】
生体情報を取得する生体情報取得手段と、前記生体情報取得手段で取得した生体情報から生体特徴データを抽出する特徴データ抽出手段と、生体情報および生体特徴データを記憶する記憶領域を備えた記憶手段と、登録者について前記生体情報取得手段で取得した生体情報および前記特徴データ抽出手段で抽出した特徴生体データを前記記憶手段に記憶させて登録する登録手段と、前記特徴データ抽出手段で抽出した被認証者の生体特徴データを前記記憶手段に登録されている既登録者の生体特徴データと照合して被認証者が既登録者本人か否かを判定する照合手段を備えた本人認証装置において、
前記記憶手段に、各登録者について生体情報と照合値を記憶する生体情報記憶領域を備え、
前記照合手段で照合して被認証者が既登録者本人であると認証したときに該照合における生体特徴データの元になる生体情報と前記照合手段で算出した照合値を前記記憶手段へ登録する生体情報登録手段と、
前記記憶手段に登録されている既登録者の生体情報と照合値をその後の認証時に照合手段で算出した照合値の大小に応じて入れ替え登録する生体情報登録更新手段と、
前記記憶手段に登録されている既登録者の生体情報を読み出して前記特徴データ抽出手段によって新たに生体特徴データを抽出して前記記憶手段に登録されている既登録者の生体特徴データを更新する特徴データ更新手段を設けたことを特徴とする本人認証装置。
【請求項２】
請求項１において、前記記憶手段に設けた生体情報記憶領域は、各登録者について複数組みの生体情報と照合値を記憶する記憶領域を備え、
前記特徴データ更新手段は、各既登録者について照合値の大きい生体情報から生体特徴データを抽出して更新することを特徴とする本人認証装置。
【発明の詳細な説明】
【技術分野】
【０００１】
本発明は、生体情報（例えば、指紋，指静脈，虹彩などの個人特有の生体情報）を用いた本人認証装置に関する。
【背景技術】
【０００２】
本人認証装置は、基本的には、本人の認証情報としてＩＤ番号と生体情報（生体特徴データ）を登録しておき、その後の本人認証時に被認証者から入力されたＩＤ番号と生体情報から抽出した生体特徴データを照合して被認証者が登録されている既登録者本人であるか否かを判定する構成である。
【０００３】
本人の生体情報は、経時変化することから、生体特徴データは、被認証者が本人であると認証されたときに該認証時の生体特徴データで更新して認証精度を高める工夫もなされている。
【０００４】
【特許文献１】特開２０００−１４８９８５号公報
【特許文献２】特開２００２−２６９０４８号公報
【特許文献３】特開２００２−３４２８６２号公報
【発明の開示】
【発明が解決しようとする課題】
【０００５】
このような本人認証装置は、認証精度を向上させるためには、生体情報から生体特徴データを抽出する生体特徴データ抽出手段の特性改良・交換（更新）が必要となる。
【０００６】
しかしながら、既設の本人認証装置における生体特徴データ抽出手段を改良した生体特徴データ抽出手段に更新すると、それまでに登録した各人（既登録者）の生体特徴データも更新した生体特徴データ抽出手段の特性に整合するように更新しなければならない。この生体特徴データの更新は、新規登録と同様に、総ての既登録者の生体情報を生体情報取得手段によって再取得し、新しい生体特徴データ抽出手段によって生体特徴データを抽出して登録（更新）する作業を行わなければならず、特徴データ更新作業が面倒である、という問題がある。
【０００７】
本発明の目的は、特徴データ抽出手段を更新するときにも、既登録者から改めて生体情報を取得することなく生体特徴データを更新することができる更新作業が容易な本人認証装置を提供することにある。
【課題を解決するための手段】
【０００８】
本発明は、生体情報を取得する生体情報取得手段と、前記生体情報取得手段で取得した生体情報から生体特徴データを抽出する特徴データ抽出手段と、生体情報および生体特徴データを記憶する記憶領域を備えた記憶手段と、登録者について前記生体情報取得手段で取得した生体情報および前記特徴データ抽出手段で抽出した特徴生体データを前記記憶手段に記憶させて登録する登録手段と、前記特徴データ抽出手段で抽出した被認証者の生体特徴データを前記記憶手段に登録されている既登録者の生体特徴データと照合して被認証者が既登録者本人か否かを判定する照合手段を備えた本人認証装置において、
前記記憶手段に、各登録者について生体情報と照合値を記憶する生体情報記憶領域を備え、
前記照合手段で照合して被認証者が既登録者本人であると認証したときに該照合における生体特徴データの元になる生体情報と前記照合手段で算出した照合値を前記記憶手段へ登録する生体情報登録手段と、
前記記憶手段に登録されている既登録者の生体情報と照合値をその後の認証時に照合手段で算出した照合値の大小に応じて入れ替え登録する生体情報登録更新手段と、
前記記憶手段に登録されている既登録者の生体情報を読み出して前記特徴データ抽出手段によって新たに生体特徴データを抽出して前記記憶手段に登録されている既登録者の生体特徴データを更新する特徴データ更新手段を設けたことを特徴とする。
【０００９】
そして、前記記憶手段に設けた生体情報記憶領域は、各登録者について複数組みの生体情報と照合値を記憶する記憶領域を備え、
前記特徴データ更新手段は、各既登録者について照合値の大きい生体情報から生体特徴データを抽出して更新することを特徴とする。
【発明の効果】
【００１０】
本発明によれば、精度向上を目的に特徴抽出処理を変更した場合でも、登録済のユーザが、再度、生体情報を入力する登録処理を実施する必要がないことから、登録済ユーザにとっても管理者にとっても利便性が高く、かつ認証精度の高い本人認証装置を実現することができる。
【発明を実施するための最良の形態】
【００１１】
本発明は、生体情報を取得する生体情報取得手段と、前記生体情報取得手段で取得した生体情報から生体特徴データを抽出する特徴データ抽出手段と、生体情報および生体特徴データを記憶する記憶領域を備えた記憶手段と、登録者について前記生体情報取得手段で取得した生体情報および前記特徴データ抽出手段で抽出した特徴生体データを前記記憶手段に記憶させて登録する登録手段と、前記特徴データ抽出手段で抽出した被認証者の生体特徴データを前記記憶手段に登録されている既登録者の生体特徴データと照合して被認証者が既登録者本人か否かを判定する照合手段を備えた本人認証装置において、
前記記憶手段に、各登録者について複数の生体情報と照合値を記憶する生体情報記憶領域を設け、
前記照合手段で照合して被認証者が既登録者本人であると認証したときに該照合における生体特徴データの元になる生体情報と前記照合手段で算出した照合値を前記記憶手段へ登録する生体情報登録手段と、
前記記憶手段に登録されている既登録者の照合値が小さい方の生体情報と照合値を該照合値よりもその後の認証時に照合手段で算出した照合値の方が大きいときには該大きい方の照合値とその生体情報に入れ替え登録する生体情報登録更新手段と、
前記記憶手段に登録されている既登録者の照合値が大きい方の生体情報を読み出して前記特徴データ抽出手段によって新たに生体特徴データを抽出して前記記憶手段に登録されている既登録者の生体特徴データを更新する特徴データ更新手段を設ける。
【実施例１】
【００１２】
本発明の実施例１を図面を用いて説明する。
【００１３】
図１は、本発明の実施例１に係る本人認証装置の構成を示す機能ブロック図、図２は、記憶手段に記憶した認証情報の登録例ある。
【００１４】
この実施例１の本人認証装置は、ＩＤ入力手段１と、生体情報取得手段２と、特徴データ抽出手段３と、登録手段４と、記憶手段５と、特徴データ読み出し手段６と、照合手段７と、生体情報登録更新手段８と、登録／更新指示手段９と、生体情報読み出し手段１０を備える。
【００１５】
ＩＤ入力手段１は、新規登録者および被認証者が本人の認証照合情報の１つであるＩＤ番号を入力する手段である。
【００１６】
生体情報取得手段２は、新規登録者および被認証者の認証情報の１つである生体情報を取得する手段であり、例えば、指紋であれば指紋センサ、顔であれば市販のＣＣＤカメラ、静脈であれば静脈センサなどを利用することで実現する。
【００１７】
特徴データ抽出手段３は、入力された生体情報から新規登録者や被認証者や既登録者の特徴を示す生体特徴データを抽出する手段であり、例えば指紋であれば、指紋の特徴であるマニューシャを抽出する手段、顔であれば顔の特徴を抽出する手段、静脈であれば静脈の特徴である血管パターンを抽出する手段である。
【００１８】
登録手段４は、新規登録時に新規登録者のＩＤ番号と該新規登録者の生体情報から抽出した生体特徴データを組みにして認証照合情報として記憶手段５に記憶させて登録し、生体特徴データ更新時には、記憶手段５に登録されている既登録者の生体情報から特徴データ抽出手段３により改めて抽出した生体特徴データによって該記憶手段５に登録されている該既登録者の生体特徴データを更新（入れ替え）する手段である。
【００１９】
記憶手段５は、図２に示すように、各登録者毎にＩＤ番号と生体特徴データと生体情報と照合値を組みにして認証情報として記憶する認証情報記憶領域５０（ＩＤ番号記憶領域５１，特徴データ記憶領域５２，第１の照合値／生体情報記憶領域５３，第２の照合値／生体情報記憶領域５４）を備える。この実施例では、１つのＩＤ（各登録者）について２組の照合値と生体情報の登録を可能にするために第１の照合値／生体情報記憶領域５３と第２の照合値／生体情報記憶領域５４を設けたが、１組みの照合値と生体情報だけを登録する１つの記録領域または更に多くの組みの照合値と生体情報を登録する多数の記憶領域を設けても良い。この記憶手段５は、ＲＡＭや磁気ディスク等を利用して実現する。
【００２０】
因に、この実施例における記憶手段５の認証情報記憶領域５０には、ＩＤ番号が「１」の既登録者について、生体特徴データ「ａ」と、照合値「９５」，生体情報「Ａ１」と、照合値「７５」，生体情報「Ａ２」が登録されて、ＩＤ番号「２」の既登録者について、生体特徴データが「ｂ」と、照合値「９０」，生体情報「Ｂ１」と、照合値「８０」，生体情報「Ｂ２」が登録されている。
【００２１】
特徴データ読み出し手段６は、認証時にＩＤ入力手段１から入力された被認証者のＩＤ番号に基づいて該ＩＤ番号に対応する既登録者の生体特徴データを記憶手段５から読み出す。
【００２２】
照合手段７は、認証時に前記特徴データ読み出し手段６によって記憶手段５から読み出した既登録者（被認証者）の生体特徴データと生体情報取得手段２によって取得した被認証者の生体情報から前記特徴データ抽出手段３で抽出した生体特徴データを照合して類似度（照合値）を算出し、算出した照合値に基づいて被認証者が既登録者本人であるか否かを判定する。照合値が大きいほど被認証者が既登録者に類似していることを意味し、照合値が予め設定した判定基準値以上のときに被認証者が既登録者本人であると判定する。
【００２３】
生体情報登録更新手段８は、認証時に前記照合手段７によって被認証者が既登録者本人であると判定されたときに、前記記憶手段５に既に登録されている該既登録者の認証情報である照合値と今回の認証において算出した照合値を比較し、今回の認証において算出した照合値が既登録の照合値より大きいときには、その既登録の照合値とその生体情報の組みを今回の認証において取得した生体情報と照合値の組みで更新する手段である。
【００２４】
登録／更新指示手段９は、新規登録者の新規登録処理および既登録者の生体特徴データの更新処理を指示する入力手段である。既登録者の生体特徴データの更新処理指示は、特徴データ抽出手段３を改良（変更）することによって生体特徴データ抽出特性が変化したときに行う。
【００２５】
生体情報読み出し手段１０は、登録／更新指示手段９からの更新処理指示に応動して、記憶手段５に登録されている既登録者の生体情報を読み出して特徴データ抽出手段３に入力する。記憶手段５に複数の生体情報が登録されているときには、照合値の高い方の生体情報を読み出すようにする。
【００２６】
このような本人認証装置における前記特徴データ抽出手段３と登録手段４と特徴データ読み出し手段６と照合手段７と生体情報登録更新手段８と生体情報読み出し手段１０は、実際には、マイクロコンピュータと該マイクロコンピュータに実装されたデータ処理プログラムによって実現する機能手段として構成する。
【００２７】
次に、図３を参照して本人認証の手順について説明する。図３は、特徴データ抽出手段３と登録手段４と特徴データ読み出し手段６と照合手段７と生体情報登録更新手段８と生体情報読み出し手段１０を実現するためにマイクロコンピュータが実行するデータ処理のフローチャートである。
【００２８】
ステップＳ１００
新規登録処理または生体特徴データの更新処理を行う。新規登録処理および生体特徴データ更新処理は、具体的には後述するが、新規登録処理では、新規登録者のＩＤ番号と生体情報を入力して該ＩＤ番号と該生体情報から抽出した生体特徴データを組みにして記憶手段５に記憶させることによって行い、生体特徴データ更新処理は、記憶手段５に登録されている既登録者の生体情報を読み出して新しい生体特徴データを抽出して既登録の生体特徴データと入れ替える（更新する）ことによって行う。これらの処理は、登録者人数分だけ繰り返して実行する。
【００２９】
ステップＳ２００
認証処理および生体情報登録／更新処理を行う。具体的には後述するが、認証処理では、被認証者のＩＤ番号と生体情報を入力し、入力した生体情報から生体特徴データを抽出し、ＩＤ番号に基づいて記憶手段５から読み出した既登録者の生体特徴データと照合することによって該被認証者が既登録者本人か否かを判定し、その判定結果を出力する。生体情報登録／更新処理では、認証によって既登録者本人と判定された被認証者（既登録者）から取得した生体情報と照合値を記憶させて登録し、既登録の生体情報があるときにはその照合値を比較して該認証時の照合値の方が高いときには該認証時に得た生体情報と照合値によって更新（入れ替え）する。
【００３０】
図４を参照して新規登録処理および生体特徴データ更新処理ステップＳ１００の具体的な手順について、図２に示した認証情報を例示して説明する。
【００３１】
ステップＳ１０１
登録／更新指示手段９からの指示入力を判別して処理を分岐する。
【００３２】
ステップＳ１１１
登録／更新指示手段９から新規登録が指示入力されたときには、生体情報取得手段２によって新規登録者の生体情報（例えば「Ａ０」）を取得する。
【００３３】
ステップＳ１１２
新規登録者から取得した生体情報「Ａ０」から特徴データ抽出手段３によって新規登録者の生体特徴データ「ａ」を抽出する。
【００３４】
ステップＳ１１３
ＩＤ入力手段１によって新規登録者のＩＤ番号「１」を取得する。
【００３５】
ステップＳ１１４
登録手段４によって新規登録者のＩＤ番号「１」と生体特徴データ「ａ」を組みにして記憶手段５に記憶させて登録する。
【００３６】
ステップＳ１２１
登録／更新指示手段９から生体特徴データ更新が指示入力されたときには、記憶手段５に登録されている既規登録者（ＩＤ番号「１」）の生体情報「Ａ１」を生体情報読み出し手段１０によって読み出す。
【００３７】
ステップＳ１２２
生体情報読み出し手段１０によって読み出した既登録者の生体情報「Ａ１」から特徴データ抽出手段３によって既登録者（ＩＤ番号「１」）の生体特徴データ（例えば「ａ’」）を改めて抽出する。
【００３８】
ステップＳ１２３
記憶手段５に登録されている該既登録者（ＩＤ番号「１」）の生体特徴データ「ａ」に、登録手段４によって、改めて抽出した既登録者「ＩＤ番号１」）の生体特徴データ「ａ’」を入れ替え（更新登録）する。
【００３９】
ステップＳ１２４
記憶手段４に登録されている総ての既登録者についての更新処理が終了するまでステップＳ１２１〜ステップＳ１２３を繰り返す。
【００４０】
図５を参照して認証処理および生体情報登録／更新処理の手順について、図２に示した認証情報を例示して説明する。
【００４１】
ステップＳ２０１
ＩＤ入力手段１によって被認証者からＩＤ番号「１」を取得する。
【００４２】
ステップＳ２０２
取得したＩＤ番号「１」に該当する既登録者の生体特徴データ「ａ」を特徴データ読み出し手段６によって記憶手段５から読み出す。
【００４３】
ステップＳ２０３
生体情報取得手段２によって被認証者の生体情報（例えば「Ａ３」）を取得する。
【００４４】
ステップＳ２０４
生体情報取得手段２によって取得した被認証者の生体情報「Ａ３」から特徴データ抽出手段３によって被認証者の生体特徴データ（例えば「ａ’’」）を抽出する。
【００４５】
ステップＳ２０５
被認証者の生体特徴データ「ａ’’」と既登録者（ＩＤ番号「１」）の生体特徴データ「ａ」を照合して照合値（類似度）（例えば「８５」）を算出する。
【００４６】
ステップＳ２０６
算出した照合値「８５」を判定基準値（例えば「７０」）と比較して被認証者が既登録者本人か否かを判定する。照合値が判定基準値以上であれば本人と判定し、未満であれば他人と判定する。
【００４７】
ステップＳ２０７
他人と判定されたときの出力に基づいて所定の対応処理を行うようにする。
【００４８】
ステップＳ２０８
本人と判定されたときの出力に基づいて所定の対応処理を行うようにする。
【００４９】
ステップＳ２０９
被認証者が既登録者本人であると判定されたときには、生体情報登録更新手段８によって、今回の認証において算出した照合値「８５」が記憶手段５に登録されている被認証者（既登録者）の小さい方の照合値「７５」より大きいか否かを比較して処理を分岐する。被認証者（既登録者）の照合値と生体情報が登録されていないときには、大きいと判定する。以下のときには処理を終了である。
【００５０】
ステップＳ２１０
今回の認証において算出した照合値「８５」が記憶手段５に登録されている被認証者（既登録者）の照合値「７５」より大きいときには、既登録の照合値「７５」と生体情報「Ａ２」の組みをステップＳ２０５において算出した照合値「８５」とステップＳ２０３において取得した生体情報「Ａ３」に更新（入れ替え）して記憶手段５へ登録する（生体情報の更新）。被認証者（既登録者）の照合値と生体情報が第１の照合値／生体情報記憶領域５３または第１の照合値／生体情報記憶領域５４に登録されていないときには、今回の認証において算出した照合値「８５」と生体情報「Ａ２」の組みを記憶手段５の第１の照合値／生体情報記憶領域５３または第１の照合値／生体情報記憶領域５４へ登録する（生体情報の登録）。
【００５１】
このように機能する本人認証装置は、既設の本人認証装置における認証精度を向上させるために、特徴データ抽出手段３の生体特徴データ抽出特性を変更したときに、既登録者から改めて生体情報を取得することなく変更後の特徴データ抽出手段の生体特徴データ抽出特性に整合した生体特徴データに更新することができる。
【図面の簡単な説明】
【００５２】
【図１】本発明の実施例１に係る本人認証装置の機能ブロック図である。
【図２】実施例１における記憶手段に記憶した認証情報の登録例である。
【図３】実施例１の本人認証装置が本人認証のために実行するデータ処理のフローチャートである。
【図４】実施例１の本人認証装置が実行する新規登録処理および生体特徴データ更新処理の具体的な手順を示すフローチャートである。
【図５】実施例１の本人認証装置が実行する認証処理および生体情報登録／更新処理の具体的な手順を示すフローチャートである。
【符号の説明】
【００５３】
１…ＩＤ入力手段、２…生体情報取得手段、３…特徴データ抽出手段、４…登録手段、５…記憶手段、６…特徴データ読み出し手段、７…照合手段、８…生体情報登録更新手段、９…登録／更新指示手段、１０…生体情報読み出し手段。
【図１】
2005157746.tif 000003
【図２】
2005157746.tif 000004
【図３】
2005157746.tif 000005
【図４】
2005157746.tif 000006
【図５】
2005157746.tif 000007